(57)【特許請求の範囲】
【請求項１】
グリル庫内に、受け皿及び焼き網を支持する支持枠を、前方の入口から出し入れ可能に収納すると共に、前記支持枠に、前記支持枠の収納状態で前記入口を閉塞するグリル扉を連結したグリルであって、
前記支持枠の前後両端には、前記受け皿及び前記焼き網を支持する支持板がそれぞれ固着されていると共に、前側の前記支持板に、上向きの起立部が設けられて、前記起立部の左右上端には、前記起立部の上端から前方へ折曲形成される水平部と、その水平部の前端から前方斜め上向きに折曲形成される傾斜部とからなる一対の係止爪が形成され、前記前側の支持板の後端には、被係止部が形成される一方、
前記グリル扉の背面に、前記起立部が当接可能な膨出部が形成され、前記膨出部の左右上端に、前記係止爪の前記傾斜部がそれぞれ差し込み可能で、当該差し込み状態で前記水平部が上縁に係止する左右一対の差込孔が形成されると共に、前記膨出部の下端には、前記膨出部から後方へ伸びる下板部と、その下板部の後端から上方へ立ち上がる立ち上がり部と、その立ち上がり部の上端から後方へ伸びる上板部とからなる板バネが設けられて、
前記支持枠と前記グリル扉とを、前記係止爪の前記傾斜部を前記差込孔にそれぞれ差し込むと共に、前記被係止部に前記板バネの前記立ち上がり部を係止させることで連結して、
前記立ち上がり部と前記被係止部との間に、前記グリル扉を前記係止爪を中心に回転させる遊びを設けると共に、前記グリル扉を、各前記差込孔内で各前記水平部が上下に相対移動する範囲で左右に揺動可能としたことを特徴とするグリル。
【請求項２】
前記遊びを０．５〜２．０ｍｍの範囲内で設けたことを特徴とする請求項１に記載のグリル。
【発明の詳細な説明】
【技術分野】
【０００１】
本発明は、テーブルコンロやビルトインコンロ等に備えられるグリルに関する。
【背景技術】
【０００２】
グリルは、焼き網及び受け皿を支持するフレーム（支持枠）を、グリル庫の前面の入口から出し入れ可能に設け、フレームの前端に、焼き網及び受け皿の収納状態でグリル庫の入口を閉塞するグリル扉を設けたものが知られている。
このようなグリルにおいては、グリル庫の入口をグリル扉で閉じた状態で、入口を形成するグリル前板にグリル扉が当接し、グリル庫を密閉するようになっている。しかし、部品の寸法誤差によりグリル前板やグリル扉の取り付け角度に狂いが生じると、グリル扉とグリル前板との間に隙間が生じ、燃焼ガスの漏れによる調理不良を招いてしまう。そこで、本件出願人は、特許文献１において、グリル庫の入口に設けられてグリル扉に当接させる接触部材を、入口の上部に設けられるグリル前板と、そのグリル前板に対して前後方向へ移動可能に支持された可動板とから構成し、その可動板によりグリル扉との隙間を埋めるようにした発明を提供している。
【先行技術文献】
【特許文献】
【０００３】
【特許文献１】特開２０１１−３８７４５号公報
【発明の概要】
【発明が解決しようとする課題】
【０００４】
しかし、特許文献１の発明では、グリル扉が当接する可動板を前後方向へ移動可能に設けることから、構造が複雑化してコストアップに繋がる問題があった。
【０００５】
そこで、本発明は、コストアップを抑えた簡単な構造で、寸法誤差によるグリル扉とグリル前板との間での隙間の発生を好適に防止することができるグリルを提供することを目的としたものである。
【課題を解決するための手段】
【０００６】
上記目的を達成するために、請求項１に記載の発明は、グリル庫内に、受け皿及び焼き網を支持する支持枠を、前方の入口から出し入れ可能に収納すると共に、支持枠に、支持枠の収納状態で入口を閉塞するグリル扉を連結したグリルであって、支持枠の前後両端には、受け皿及び焼き網を支持する支持板がそれぞれ固着されていると共に、前側の支持板に、上向きの起立部が設けられて、起立部の左右上端には、起立部の上端から前方へ折曲形成される水平部と、その水平部の前端から前方斜め上向きに折曲形成される傾斜部とからなる一対の係止爪が形成され、前側の支持板の後端には、被係止部が形成される一方、グリル扉の背面に、起立部が当接可能な膨出部が形成され、膨出部の左右上端に、係止爪の傾斜部がそれぞれ差し込み可能で、当該差し込み状態で水平部が上縁に係止する左右一対の差込孔が形成されると共に、膨出部の下端には、膨出部から後方へ伸びる下板部と、その下板部の後端から上方へ立ち上がる立ち上がり部と、その立ち上がり部の上端から後方へ伸びる上板部とからなる板バネが設けられて、支持枠とグリル扉とを、係止爪の傾斜部を差込孔にそれぞれ差し込むと共に、被係止部に板バネの立ち上がり部を係止させることで連結して、立ち上がり部と被係止部との間に、グリル扉を係止爪を中心に回転させる遊びを設けると共に、グリル扉を、各差込孔内で各水平部が上下に相対移動する範囲で左右に揺動可能としたことを特徴とするものである。
請求項２に記載の発明は、請求項１の構成において、遊びを０．５〜２．０ｍｍの範囲内で設けたことを特徴とするものである。
【発明の効果】
【０００７】
請求項１に記載の発明によれば、グリル扉自体を回転させて取り付け角度のずれを吸収させるので、コストアップを抑えた簡単な構造で、寸法誤差によるグリル扉とグリル前板との間での隙間の発生を好適に防止することができる。よって、排気漏れ等による調理不良を防止できると共に、グリル扉が器体の正面から飛び出したりしないため、外観上の品質も維持可能となる。
また、支点部を係止爪、弾性係止部を板バネとしたことで、より簡単な構造で取り付け角度のずれを好適に吸収可能となる。
請求項２に記載の発明によれば、請求項１の効果に加えて、遊びを０．５〜２．０ｍｍの範囲内で設けたことで、グリル扉とグリル前板との間での隙間の発生防止に有効な範囲で遊びが設定可能となる。
【図面の簡単な説明】
【０００８】
【図１】テーブルコンロの正面図である。
【図２】Ａ−Ａ線断面図である。
【図３】Ｂ−Ｂ線断面図である。
【図４】支持枠及びグリル扉の斜視図である（汁受け皿及び焼き網は省略）。
【図５】支持枠及びグリル扉の背面図である（焼き網は省略）。
【図６】支持枠の斜視図である。
【図７】グリル扉の斜視図である。
【図８】支持枠及びグリル扉の斜視図である（汁受け皿及び焼き網は省略）。
【図９】Ｃ−Ｃ線拡大断面図である。
【図１０】図２における板バネ部分の拡大図である。
【発明を実施するための形態】
【０００９】
以下、本発明の実施の形態を図面に基づいて説明する。
図１は、テーブルコンロの正面図、図２はＡ−Ａ線断面図、図３はＢ−Ｂ線断面図で、テーブルコンロ１は、平面視四角形状の器体２を有し、器体２の上部に設けた天板３には、左右一対の左コンロ部４と右コンロ部５とが設けられており、両コンロ部４，５の間で器体２内部には、グリル６が設けられている。７，７は各コンロ部４，５に設けられたバーナ、８，８は五徳である。器体２の正面は、上端から下方へ行くに従って前方へ突出する傾斜面となっており、当該正面には、各コンロ部４，５及びグリル６に対応した点消火ボタン９，９・・と火力調節レバー１０，１０・・とがそれぞれ設けられている。
【００１０】
グリル６は、前方が入口となるグリル庫１１内に、上バーナ１２と下バーナ１３とを備えており、グリル庫１１の後方には、グリル庫１１内と連通する排気通路１４が形成されている。
また、グリル庫１１の底部には、入口から出し入れ可能に収納される支持枠１５が設けられ、支持枠１５上に、焼き網台１６と、汁受け皿１７と、焼き網１８とがそれぞれ設けられて、支持枠１５の出し入れに伴ってこれらもグリル庫１１から同時に出し入れ可能となっている。
支持枠１５は、図４〜６に示すように、金属製の棒材を矩形状に折り曲げ形成してなり、枠内で長手方向の両端に、焼き網台１６と汁受け皿１７とを支持する支持板１９，１９を固着している。この支持枠１５は、グリル庫１１の左右に設けられたレール状の支持枠受け２０（図２，３）によって前後方向へスライド可能にガイドされている。
【００１１】
さらに、前側の支持板１９には、上向きの起立部２１が折曲形成されて、その起立部２１にグリル扉２２が装着されている。このグリル扉２２は、図５，７にも示すように、正面視が矩形状で、上部には覗き窓２３が形成され、下部正面には取手２４が設けられており、グリル庫１１への支持枠１５の収納状態で、グリル庫１１の入口を形成するグリル前板２５（図２，３）に当接してグリル庫１１の入口を閉塞可能となっている。
【００１２】
そして、ここでのグリル扉２２は、起立部２１に対して着脱可能に連結されている。以下その連結構造について説明する。
まず、起立部２１の左右上端には、支点部としての係止爪２６，２６が突設されている。この係止爪２６は、図６に示すように、起立部２１の上端から前方へ折曲形成される水平部２７と、その水平部２７の前端から前方斜め上向きに折曲形成される傾斜部２８とからなる板状突片となっている。また、前側の支持板１９の後端には、左右方向の中央が湾曲して前後方向の幅を最も狭くする被係止部２９が形成されている。
【００１３】
一方、グリル扉２２の背面において、覗き窓２３の下方部位には、図７に示すように、支持枠１５の起立部２１が当接可能な膨出部３０が形成されており、その膨出部３０の左右上端に一対の差込孔３１，３１が形成されている。この差込孔３１，３１は、起立部２１の係止爪２６，２６に対応したもので、傾斜部２８を差込孔３１に差し込むと、図８，９に示すように、水平部２７が差込孔３１の上縁に係止可能となっている。
【００１４】
また、膨出部３０の下端で左右方向の中央には、弾性係止部としての板バネ３２が設けられている。この板バネ３２は、膨出部３０から後方へ伸びる下板部３３と、その下板部３３の後端から上方へ立ち上がる立ち上がり部３４と、立ち上がり部３４の上端から後方へ伸びる上板部３５とに折曲形成されるもので、下板部３３の長さ（膨出部３０と立ち上がり部３４との間の距離）は、支持枠１５の前側の支持板１９における被係止部２９の形成部分の前後方向の寸法よりも僅かに大きく形成されて、後述する遊びＣ１を設定するようになっている。
【００１５】
以上の如く構成されたグリル６においては、支持枠１５にグリル扉２２を装着する場合は、先に係止爪２６，２６を差込孔３１，３１に差し込み、その状態で係止爪２６，２６を中心に支持枠１５を時計回りに回転させるか、或いはグリル扉２２を反時計回りに回転させるかすると、図２，４及び図１０に示すように、前側の支持板１９が膨出部３０と板バネ３２の立ち上がり部３４との間に嵌合して被係止部２９に立ち上がり部３４が係止する。すなわち、起立部２１が上側では係止爪２６，２６の係止により、下側では板バネ３２の係止によりそれぞれ位置決めされてグリル扉２２と連結されることになる。
【００１６】
但し、ここでの被係止部２９と立ち上がり部３４との間には、図１０に示す如く、０．５〜２．０ｍｍの範囲で設定された遊び（隙間）Ｃ１が設けられている。これにより、グリル扉２２は、支持枠１５に対して係止爪２６，２６を中心として時計回り（図１０に示す矢印Ａ方向）に回転可能となる。従って、部品間の寸法誤差によってグリル前板２５とグリル扉２２との取り付け角度にずれが生じた場合でもこれを吸収でき、グリル前板２５とグリル扉２２との間に隙間が生じることはない。
なお、ここでは、前側の支持板１９に対して起立部２１は直角ではなく、起立部２１を前方へ僅かに傾けることで、起立部２１と膨出部３０との間に遊びＣ２を設定している。これにより、支持枠１５に対してグリル扉２２が反時計回り（図１０に示す矢印Ｂ方向）にも回転可能となっている。よって、反時計回り方向でのがたつきも予め吸収可能となる。
【００１７】
このように、上記形態のグリル６によれば、支持枠１５とグリル扉２２とを、支持枠１５に設けられてグリル扉２２に係止する支点部（係止爪２６）と、グリル扉２２に設けられて支持枠１５に弾性係止する弾性係止部（板バネ３２）とで連結して、弾性係止部と支持枠１５における弾性係止部の係止部位（被係止部２９）との間に、グリル扉２２を支点部を中心に回転させる遊びＣ１を設けたことで、コストアップを抑えた簡単な構造で、寸法誤差によるグリル扉２２とグリル前板２５との間での隙間の発生を好適に防止することができる。よって、排気漏れ等による調理不良を防止できると共に、グリル扉が器体２の正面から飛び出したりしないため、外観上の品質も維持可能となる。
【００１８】
特にここでは、支点部を、グリル扉２２に設けた差込孔３１，３１に差し込み係止される係止爪２６，２６とし、弾性係止部を板バネ３２としたことで、より簡単な構造で取り付け角度のずれを好適に吸収可能となる。
また、遊びＣ１を０．５〜２．０ｍｍの範囲内で設けたことで、グリル扉２２とグリル前板２５との間での隙間の発生防止に有効な範囲で遊びＣ１が設定可能となる。
【００１９】
なお、上記形態では、支点部となる係止爪を左右一対で設けているが、数を増やしてもよいし、逆に左右方向の中央に１つだけ設けることもできる。また、支点部や弾性係止部の具体的な構造は上記形態に限らず、係止爪の傾斜部をなくしたり、板バネの上板部をなくしたり等、適宜変更可能である。
そして、上記形態ではテーブルコンロに設けたグリルに本発明を適用しているが、ビルトインコンロに設けたグリルや単独のグリルであっても本発明は適用可能である。
【符号の説明】
【００２０】
１・・テーブルコンロ、２・・器体、３・・天板、４・・左コンロ部、５・・右コンロ部、６・・グリル、１１・・グリル庫、１２・・上バーナ、１３・・下バーナ、１５・・支持枠、１６・・焼き網台、１７・・汁受け皿、１８・・焼き網、１９・・支持板、２１・・起立部、２２・・グリル扉、２５・・グリル前板、２６・・係止爪、２７・・水平部、２８・・傾斜部、２９・・被係止部、３１・・差込孔、３２・・板バネ、３３・・下板部、３４・・立ち上がり部、３５・・上板部。
【図１】
0006456677.tif 000002
【図２】
0006456677.tif 000003
【図３】
0006456677.tif 000004
【図４】
0006456677.tif 000005
【図５】
0006456677.tif 000006
【図６】
0006456677.tif 000007
【図７】
0006456677.tif 000008
【図８】
0006456677.tif 000009
【図９】
0006456677.tif 000010
【図１０】
0006456677.tif 000011